(57)【要約】  【課題】帯電ブラシの植毛ムラに起因する帯電不良を解消したクリーニング装置並びに画像形成装置を提供する。  【解決手段】中間転写方式の画像形成装置において、外周面上にトナーを担持して搬送する中間転写体の外周面上に残留するトナーをクリーニング装置にて清掃する。クリーニング装置は、前記残留トナーを接触帯電する帯電ブラシと、中間転写体のトナー搬送方向について帯電ブラシの下流側に配され、帯電した残留トナーを静電吸着するクリーニング手段と、を備えている。前記  帯電ブラシは導電性のブラシ毛がランダムに植毛されており、かつ当該ブラシ毛の植毛密度の分布が均一である。  【選択図】図４
2009204688.tif 000002
【特許請求の範囲】
【請求項１】
中間転写方式の画像形成装置において、外周面上にトナーを担持して搬送する中間転写体の外周面上に残留するトナーを清掃するクリーニング装置であって、
前記残留トナーを接触帯電する帯電ブラシと、
中間転写体のトナー搬送方向について帯電ブラシの下流側に配され、帯電した残留トナーを静電吸着するクリーニング手段と、を備え、
帯電ブラシは導電性のブラシ毛がランダムに植毛されており、かつ当該ブラシ毛の植毛密度の分布が均一である
ことを特徴とするクリーニング装置。
【請求項２】
前記帯電ブラシは静電植毛法にてブラシ毛を植毛されてなる
ことを特徴とする請求項１に記載のクリーニング装置。
【請求項３】
前記帯電ブラシはロールブラシ又はバーブラシである
ことを特徴とする請求項１に記載のクリーニング装置。
【請求項４】
中間転写方式の画像形成装置において、外周面上にトナーを担持して搬送する中間転写体の外周面上に残留するトナーを清掃するクリーニング装置であって、
前記残留トナーを接触帯電する帯電ブラシと、
中間転写体のトナー搬送方向について帯電ブラシの下流側に配され、帯電した残留トナーを静電吸着するクリーニング手段と、を備え、
帯電ブラシは、植毛部分の何れの１平方ミリメートルについても、２７９本以上の導電性ブラシ毛が植毛されている
ことを特徴とするクリーニング装置。
【請求項５】
前記導電性ブラシ毛は太さ２デニールである
ことを特徴とする請求項４に記載のクリーニング装置。
【請求項６】
前記帯電ブラシは導電性ナイロン系樹脂、導電性エステル系樹脂、導電性レーヨン系樹脂、導電性アクリル系樹脂及び導電性ポリプロピレン系樹脂の何れかを用いたブラシ毛、又はこれらブラシ毛の組み合わせ、からなる
ことを特徴とする請求項４に記載のクリーニング装置。
【請求項７】
請求項１から６の何れかに記載のクリーニング装置を備える
ことを特徴とする画像形成装置。
【発明の詳細な説明】
【技術分野】
【０００１】
本発明は、クリーニング装置及び画像形成装置に関し、特に、中間転写体を清掃する際にトナー等の残留物をむらなく帯電させる技術に関する。
【背景技術】
【０００２】
中間転写方式の画像形成装置は、中間転写体に多重転写したトナー像を記録紙に転写する。転写後、中間転写体の表面に残留するトナー等はクリーニング装置にて除去される。
【０００３】
このクリーニング装置には、例えば、以下のようなものがある（例えば、特許文献１を参照）。先ず、導電性のロールブラシに定電流を通電しながら、当該ロールブラシを中間転写ベルト上の残留トナーに当接させることによって、残留トナーの帯電極性を揃える。そして、定電流を通電されている導電性のクリーニングブラシを用いて残留トナーを静電吸着する。
【０００４】
クリーニングブラシに静電吸着した残留トナーは、更に回収ローラに静電吸着された後、スクレーパにて掻き落とされる。
【０００５】
中間転写ベルトに多重転写されるトナー像はいずれも同一極性で形成されるので、トナー像どうしの静電反発による転写不良を防ぐために、転写を重ねる毎に転写バイアスが大きくされる。このため、二次転写後に中間転写体の表面に残留するトナーは帯電状態のばらつきが大きいので、そのままではクリーニングブラシにて回収し切れない。
【０００６】
これに対して、帯電ブラシにて予め残留トナーの帯電状態を揃えておけば、クリーニングブラシによる回収漏れを最小限に留めることができることが期待される。
【特許文献１】特開２００４−３１００６０号公報
【発明の開示】
【発明が解決しようとする課題】
【０００７】
しかしながら、実際には、クリーニングブラシによる回収漏れは依然として発生し続けている。これは、ロールブラシが残留トナーの帯電状態を十分に揃えていないためと考えられる。
【０００８】
ロールブラシには、多数本の導電性ブラシ毛からなるパイルを、同じく導電性の織布に植設した帯状のブラシ織布がよく採用される。このようなブラシ織布は芯棒にらせん状に巻き付けることによってロールブラシとされるので、図１３に示されるように、ブラシ織布の継ぎ目（以下、「巻き目」という。）部分１３０１と他の部分との間で植毛密度が異なってしまう。
【０００９】
このため、巻き目部分と他の部分とで残留トナーを帯電させる能率が異なり、植毛密度が低い箇所では帯電電位が低下する。このため、残留トナーの帯電状態を十分に揃えることができないので、クリーニングブラシによる回収漏れが生じる。
【００１０】
残留トナーの帯電状態を揃えるには、ロールブラシの他、バーブラシを用いることもできる。バーブラシとはブラシ織布を導電性接着剤にて金属基台に貼付したものである。このようにしても、残留トナーの帯電状態をある程度まで揃えることができる。
【００１１】
しかしながら、バーブラシは、ロールブラシとは異なって巻き目は無いものの、図１４に示されるように、織布の経糸や横糸の部分（以下、「束目」という。）１４０１と他の部分１４０２との間で植毛密度が異なっている。また、ロールブラシとは異なって、使用時にブラシの毛先がほとんど動かないので、植毛密度のムラがそのまま残留トナーの帯電ムラとなってしまう。
【００１２】
残留トナーの帯電ムラによりクリーニングブラシによる回収漏れが発生すると、最終的には画像不良が引き起こされてしまう。
【００１３】
巻き目や束目における植毛密度を、ブラシ毛を増加させることによって増大させる対策も考えられるが、そのような対策は巻き目や束目以外の部分における植毛密度を著しく増大させるので、トナーが帯電ブラシに詰まり易くなる。帯電ブラシの目詰まりは帯電性能の劣化を招き、帯電ブラシの寿命が短縮されるという新たな問題を生じる。
【００１４】
本発明は、上述のような問題に鑑みて為されたものであって、帯電ブラシの植毛ムラに起因する帯電不良を解消したクリーニング装置並びに画像形成装置を提供することを目的とする。
【課題を解決するための手段】
【００１５】
上記目的を達成するため、本発明に係るクリーニング装置は、中間転写方式の画像形成装置において、外周面上にトナーを担持して搬送する中間転写体の外周面上に残留するトナーを清掃するクリーニング装置であって、前記残留トナーを接触帯電する帯電ブラシと、中間転写体のトナー搬送方向について帯電ブラシの下流側に配され、帯電した残留トナーを静電吸着するクリーニング手段と、を備え、帯電ブラシは導電性のブラシ毛がランダムに植毛されており、かつ当該ブラシ毛の植毛密度の分布が均一であることを特徴とする。
【発明の効果】
【００１６】
このようにすれば、帯電ブラシに巻き目や束目が無いので、残留トナーをむらなく帯電させることができる。従って、帯電不良に起因するクリーニング不良を無くして、優れた画質を実現することができる。
【００１７】
この場合において、前記帯電ブラシは静電植毛法にてブラシ毛を植毛されてなるとすれば好適である。また、前記帯電ブラシはロールブラシ又はバーブラシであるとしても良い。
【００１８】
また、本発明に係るクリーニング装置は、中間転写方式の画像形成装置において、外周面上にトナーを担持して搬送する中間転写体の外周面上に残留するトナーを清掃するクリーニング装置であって、前記残留トナーを接触帯電する帯電ブラシと、中間転写体のトナー搬送方向について帯電ブラシの下流側に配され、帯電した残留トナーを静電吸着するクリーニング手段と、を備え、帯電ブラシは、植毛部分の何れの１平方ミリメートルについても、２７９本以上の導電性ブラシ毛が植毛されていることを特徴とする。このようにすれば、帯電ブラシの何れの部分についても十分な植毛密度となっているので、植毛密度が不足することによる帯電不良を無くすことができる。
【００１９】
この場合において、前記導電性ブラシ毛は太さ２デニールであるとすれば、帯電ブラシにトナーが詰まることに起因する帯電不良を無くすることができる。
【００２０】
また、前記帯電ブラシは導電性ナイロン系樹脂、導電性エステル系樹脂、導電性レーヨン系樹脂、導電性アクリル系樹脂及び導電性ポリプロピレン系樹脂の何れかを用いたブラシ毛、又はこれらブラシ毛の組み合わせ、からなるとすれば好適である。
【００２１】
本発明に係る画像形成装置は、本発明に係るクリーニング装置を備えることを特徴とする。このようにすれば、帯電不良に起因するクリーニング不良を無くして、優れた画質を実現することができる。
【発明を実施するための最良の形態】
【００２２】
以下、本発明に係るクリーニング装置及び画像形成装置の実施の形態について、図面を参照しながら説明する。
【００２３】
［１］  第１の実施の形態
まず、本発明の第１の実施の形態に係るタンデム型カラー画像形成装置（第１及び第２の実施の形態においては、単に「画像形成装置」という。）について説明する。
【００２４】
（１）  画像形成装置の構成
本実施の形態に係る画像形成装置の構成について説明する。
【００２５】
図１は、本実施の形態に係る画像形成装置の主要な構成を示す図である。図１に示されるように、画像形成装置１は、クリーニング装置１００、レーザユニット１０１、中間転写ベルト１０２、張架ローラ１０３、１０４、給紙カセット１０５、二次転写ローラ１０６、定着装置１０７及びイエロー（Ｙ）、マゼンタ（Ｍ）、シアン（Ｃ）、黒（Ｋ）各色の画像形成ユニット１１０Ｃ〜１１０Ｋを備えている。
【００２６】
また、画像形成ユニット１１０Ｃは、感光体ドラム１１１、帯電装置１１２、現像装置１１３、転写ローラ１１４及び感光体ドラムクリーニング装置１１５を備えており、感光体ドラム１１１の回転方向に沿って帯電装置１１２、現像装置１１３、一次転写ローラ１１４及び感光体ドラムクリーニング装置１１５の順に配置されている。画像形成ユニット１１０Ｍ〜１１０Ｋも同様である。
【００２７】
画像形成装置１は、画像形成に際して、先ず、画像形成ユニット１１０Ｃ〜１１０Ｋは、それぞれ帯電装置１１２にて感光体ドラム１１１の周面を一様に帯電させる。そして、レーザユニット１０１が出射するレーザ光にて露光されることにより、感光体ドラム１１１の周面上に静電潜像が形成される。
【００２８】
感光体ドラム１１１の周面上に形成された静電潜像は、現像装置１１３によって現像され、トナー像が形成される。このトナー像は、一次転写ローラ１１４にて中間転写ベルト１０２上に転写される。
【００２９】
中間転写ベルト１０２は、一対の張架ローラ１０３、１０４にて張架されており、画像形成ユニット１１０Ｃ〜１１０Ｋによって各色のトナー像を転写される。この場合において、各色のトナー像が重なり合うように転写のタイミングが調整される。そして、中間転写ベルト１０２は、トナー像を二次転写位置まで搬送する。
【００３０】
一方、給紙カセット１０５からは記録シートが供給され、やはり二次転写位置まで搬送される。二次転写位置においては、二次転写ローラ１０６によって、中間転写ベルト１０２から記録シートへとトナー像が転写される。記録シートに転写されたトナー像は、定着装置１０７にて溶融され、記録シートに圧着される。
【００３１】
クリーニング装置１００、転写後、中間転写ベルト１０２の表面に残留するトナーを後述のように回収する。
【００３２】
（２）  クリーニング装置１００の構成
次に、クリーニング装置１００の構成について説明する。
【００３３】
図２に示されるように、クリーニング装置１００は、帯電ブラシ２０１、クリーニングブラシ２０２、回収ローラ２０３、スクレーパ２０４、廃トナーボックス２０５及び定電圧源２０６、２０７を備えている。
【００３４】
帯電ブラシ２０１は導電性のブラシ毛が植設されてなるロールブラシであって、中間転写ベルト１０２に当接する。帯電ブラシ２０１は中間転写ベルト１０２との間に線速度差を持たせて回転駆動される。これによって、中間転写ベルト１０２とブラシ毛の接触確率が増すので残留トナーの電位を均すことができる。
【００３５】
帯電ブラシ２０１には定電圧源２０６にてトナーと同極性（図２において、マイナス）のバイアスが印加される。また、張架ローラ１０３は接地されており、帯電ブラシ２０１から張架ローラ１０３へと電流が流れて、残留トナー２１０の極性が揃えられる。
【００３６】
クリーニングブラシ２０２もまた導電性のブラシ毛が植設されてなるロールブラシであって、中間転写ベルト１０２に当接する。クリーニングブラシ２０２は中間転写ベルト１０２にカウンター回転するように回転駆動される。クリーニングブラシ２０２には回収ローラ２０３を介して定電圧源２０７にてトナーと逆極性（図２においてはプラス）のバイアスが印加される。これによって、張架ローラ１０３からクリーニングブラシ２０２へと電流が流れて、残留トナー２１０がクリーニングブラシ２０２に静電吸着される。
【００３７】
回収ローラ２０３はクリーニングブラシ２０２に当接しており、クリーニングブラシ２０２に従動回転される。上述のように、定電圧源２０７にバイアスを印加されることによって、残留トナー２１０がクリーニングブラシ２０２から回収ローラ２０３へと静電吸着される。
【００３８】
スクレーパ２０４は回収ローラ２０３に当接して、回収ローラ２０３に静電吸着された残留トナー２１０を掻き落として、廃トナーボックス２０５に廃棄する。トナーに添加されている外添剤をクリーニングブラシ２０２にて掻き取りきれなかった場合には、当該外添剤を不図示のフィルミング除去部材にて機械的に掻き落として回収する。
【００３９】
なお、トナーフィルミング（toner filming）は感光体表面などにトナー成分が広域に薄く付着した状態をいい、クリーニングブレードなど感光体表面に接触する部材と感光体表面との間隙に捕捉されたトナーが感光体との摩擦により溶融して感光体に付着するために生じる。フィルミング除去部材を用いれば、トナーフィルミングによる画像不良を解消することができる。
【００４０】
（３）  帯電ブラシ２０１について
次に、帯電ブラシ２０１について説明する。
【００４１】
（ａ）  帯電ブラシ２０１の製造方法
帯電ブラシ２０１は静電植毛法によってブラシ毛を植毛されてなる。図３は、静電植毛法による帯電ブラシ２０１の製造工程を例示する図である。図中（ａ）から（ｄ）の順に製造工程が進行する。
【００４２】
図３に示されるように、先ず、金属製の芯金軸３０１を導電性部材３０２にて被覆する（図３（ａ））。次に、液状の導電性接着剤を塗布するための塗布ローラ３０３を回転させながら、導電性部材３０２に押し当てる。そして、導電性接着剤を塗布ローラ３０３周面に供給する（図３（ｂ））。これによって、導電性接着剤が導電性部材３０２の外周表面に均一に塗布され、導電性接着剤層３０４が形成される（図３（ｃ））。
【００４３】
次に、多数のブラシ毛を載置した金属板３０７上に所定距離だけ離間させ、かつ板面と軸とが並行になるように芯金軸３０１を配置する。この状態で、定電圧源３０６にて回転軸３０１と金属板３０７間に一定電圧を印加しながら、芯金軸３０１を回転駆動し、芯金軸３０１の軸方向と直交する方向に金属板３０７をスライドさせる。
【００４４】
なお、本実施の形態においては、２デニールの６ナイロンを用いた。すなわち、長さ９０００メートル分の重量が２グラムとなる６ナイロン糸である。因みに６デニールでは太過ぎるため目詰まりによる帯電不良が生じる。
【００４５】
芯金軸３０１が回転するに従って、金属板３０７上のブラシ毛が接着剤層３０４に静電吸着されることにより全周面に静電植毛され、植毛層３０５を形成する（図３（ｄ））。その後、接着剤層を硬化させた後、芯金軸３０１を高速回転させながら、カッターを植毛層３０５に当てることによって、植毛層３０５の高さが均一に揃えられる。
【００４６】
（ｂ）  帯電ブラシ２０１の植毛状態
次に、帯電ブラシ２０１の植毛状態について説明する。
【００４７】
図４は、帯電ブラシ２０１の外観を示す図であって、（ａ）は外観斜視図であり、（ｂ）は側面図である。図４に示されるように、帯電ブラシ２０１の植毛状態は均一かつランダムとなっている。
【００４８】
ここで、植毛状態が均一であるとは、帯電ブラシの表面はすべて植毛密度が１平方ミリメートル当たり２７９フィラメント（２７９Ｆ／ｍｍ２）以上であることをいう。また、ランダムとはブラシ毛を規則的に配列する製造方法以外の製造方法にて製造されたことをいう。
【００４９】
なお、発明者の性能評価によれば、静電植毛法によって製造された、従って、ランダムな植毛状態の帯電ブラシであっても、植毛密度が１平方インチ当たり１８万フィラメント（１８０ｋＦ／ｉｎｃｈ２）では残留トナーの帯電ムラを解消することができない。一方、植毛密度を２１０ｋＦ／ｉｎｃｈ２や２４０ｋＦ／ｉｎｃｈ２とした場合には帯電ムラはみられなかった。
【００５０】
また、植毛密度が２１０ｋＦ／ｉｎｃｈ２（＝２７９Ｆ／ｍｍ２）であっても、従来のブラシ織布のように、１平方インチの面積内でブラシ毛の分布に偏りがある場合には帯電ムラが発生し得る。一方、植毛密度が１平方ミリメートルの面積内に２７９フィラメント以上のブラシ毛を植毛すれば、当該面積内でブラシ毛の分布に多少偏りがあっても帯電ムラを無くすことができる。
【００５１】
［２］  第２の実施の形態
次に、本発明の第２の実施の形態に係る画像形成装置について説明する。本実施の形態に係る画像形成装置は上記第１の実施の形態に係る画像形成装置と概ね同様の構成を備える一方、クリーニング装置の構成において相違する。以下、専ら相違点に着目して説明する。
【００５２】
（１）  クリーニング装置の構成
先ず、本実施の形態に係るクリーニング装置の構成について説明する。
【００５３】
図５は、本実施の形態に係るクリーニング装置の主要な構成を示す図である。図５に示されるように、クリーニング装置５は、帯電ブラシ５０１、クリーニングブラシ５０２、回収ローラ５０３、スクレーパ５０４、廃トナーボックス５０５及び定電圧源５０６、５０７を備えている。
【００５４】
帯電ブラシ５０１は導電性のブラシ毛が植設されてなるバーブラシであって、中間転写ベルト５２０に当接する。帯電ブラシ５０１には定電圧源５０６によってトナーと同極性（図５において、マイナス）のバイアスが印加される。また、張架ローラ５２１は接地されており、帯電ブラシ５０１から張架ローラ５２１へと電流が流れて、残留トナー５１０の極性が揃えられる。
【００５５】
クリーニングブラシ５０２はクリーニングブラシ２０２と同様の構成と動作によって、残留トナー５１０を静電吸着する。回収ローラ５０３は回収ローラ２０３と同様の構成と動作によって、残留トナー５１０をクリーニングブラシ５０２から回収する。
【００５６】
スクレーパ５０４は回収された残留トナー５１０を廃トナーボックス５０５に廃棄する。クリーニングブラシ５０２にて掻き取りきれなかった外添剤は不図示のフィルミング除去部材にて機械的に掻き落とされ回収される。
【００５７】
（２）  帯電ブラシ５０１について
次に、帯電ブラシ５０１について説明する。
【００５８】
（ａ）  帯電ブラシ２０１の製造方法
帯電ブラシ５０１もまた静電植毛法によってブラシ毛を植毛されてなる。図６は、静電植毛法による帯電ブラシ５０１の製造工程を例示する図である。図中（ａ）、（ｂ）の順に製造工程が進行する。
【００５９】
図６に示されるように、先ず、液状の導電性接着剤を塗布するための塗布ローラ６０１を回転させながら、金属板６０２に押し当てる。そして、導電性接着剤を塗布ローラ６０１の周面に供給する（図６（ａ））。これによって、導電性接着剤が金属板６０２の一方の主面に塗布され、均一な厚みを有する導電性接着剤層（図示省略）が形成される。
【００６０】
次に、多数のブラシ毛を載置した金属板６０３上に所定距離だけ離間させ、かつ金属板６０３と並行になるように金属板６０２を配置する。この状態で、定電圧源６０４にて金属板６０２、６０３間に一定電圧を印加する。
【００６１】
すると、静電吸着によって、金属板６０３上のブラシ毛が接着剤層の全面に静電植毛され、植毛層６０５が形成される（図６（ｂ））。その後、接着剤層が硬化したら、カッターを用いて植毛層６０５の高さが均一に揃える。
【００６２】
（ｂ）  帯電ブラシ５０１の植毛状態
次に、帯電ブラシ５０１の植毛状態について説明する。
【００６３】
図７は、帯電ブラシ５０１の外観を示す図であって、（ａ）は側面図であり、（ｂ）は外観斜視図である。図７に示されるように、帯電ブラシ５０１の植毛状態もまた帯電ブラシ２０１と同様に均一かつランダムとなっている。すなわち、帯電ブラシ５０１はどの部分をとっても植毛密度が２７９Ｆ／ｍｍ２以上となっている。これによって残留トナーの帯電ムラを無くすことができる。
【００６４】
［３］  変形例
以上、本発明を実施の形態に基づいて説明してきたが、本発明が上述の実施の形態に限定されないのは勿論であり、以下のような変形例を実施することができる。
【００６５】
（１）  上記実施の形態においては張架ローラ１０３、５２１を接地する場合について説明したが、本発明がこれらに限定されないのは言うまでもなく、これらに代えて以下のようにしても良い。
【００６６】
すなわち、中間転写ベルトを張架する張架ローラを絶縁樹脂からなる軸受けにて支持して、軸受けを介した漏電を防止するものとして、以下のような構成としても良い。帯電ブラシとしてロールブラシを用いる場合には、図８に示されるように帯電ブラシ８０１を接地しても良い。また、図９に示されるように回収ローラ９０３を接地しても良い。
【００６７】
また、帯電ブラシとしてバーブラシを用いる場合にも、図１０に示されるように帯電ブラシ１００１を接地しても良いし、図１１に示されるように回収ローラ１１０３を接地しても良い。このようにすれば、ひとつの定電圧源のみで上記実施の形態と同様の効果を得ることができる。
【００６８】
（２）  上記実施の形態においては、専ら静電植毛法により製造された帯電ブラシを用いる場合について説明したが、本発明がこれに限定されないのは言うまでもなく、静電植毛法に代えて他の植毛法を用いて帯電ブラシを製造しても良い。ブラシ毛が均一かつランダムに植毛されていれば、植毛法の如何を問わず、本発明の効果を得ることができる。
【００６９】
（３）  上記実施の形態においては、専らタンデム型カラー画像形成装置を例にとって説明したが、本発明がこれに限定されないのは言うまでもなく、他の画像形成装置に本発明を適用しても、その効果を得ることができる。
【００７０】
例えば、複数色が感光体ドラムを共有する中間転写方式の画像形成装置に本発明を適用しても良い。図１２は、本変形例に係る画像形成装置の主要な構成を示す図である。図１２に示されるように、画像形成装置１２は、クリーニング装置１２００、感光体ドラム１２０１、帯電装置１２０２、露光装置１２０３、現像装置１２０４Ｃ〜１２０４Ｋ、中間転写ベルト１２０５、感光体ドラムクリーニング装置１２０６、給紙カセット１２０７、二次転写ローラ１２０８及び定着装置１２０９を備えている。
【００７１】
画像形成に際して画像形成装置１２は、先ず、感光体ドラム１２０１の表面を帯電装置１２０２にて一様に帯電させ、露光装置１２０３にて露光して静電潜像を形成し、現像装置１２０４Ｃにてシアン（Ｃ）のトナー像を形成し、中間転写ベルト１２０５に転写する。転写後に感光体ドラム１２０１表面に残留するトナーはクリーニング装置１２０６にて除去される。
【００７２】
トナー像を中間転写ベルト１２０５に転写するための転写バイアスをステップアップしながら、同じ工程をマゼンタ（Ｍ）、イエロー（Ｙ）及び黒（Ｋ）についても実行すると、中間転写ベルト１２０５上に４色のトナー像を重ね合わせたトナー像が形成される。このトナー像は、給紙カセット１２０７から供給された記録シートに二次転写ローラ１２０８にて転写される。
【００７３】
クリーニング装置１２００は中間転写ベルト１２０５に対して接離可能に配設されており、トナー像の形成中には中間転写ベルト１２０５から離隔している。一方、二次転写後には、クリーニング装置１２００は中間転写ベルト１２０５に当接し、中間転写ベルト１２０５上の残留トナーを除去する。
【００７４】
なお、図１２に示されるクリーニング装置１２００は上記第１の実施の形態に係るクリーニング装置１００と同様の構成を備えているが、言うまでも無く上記第２の実施の形態や変形例（１）に係るクリーニング装置を適用しても良い。
【００７５】
記録シートは定着装置１２０９まで搬送され、定着装置１２０９にてトナー像を溶融、圧着される。
【００７６】
このようにしても、本発明の効果は同じである。
【００７７】
（４）  上記実施の形態においては帯電ブラシのブラシ毛としてナイロン糸を用いる場合について説明したが、本発明がこれに限定されないのは言うまでもなく、導電性ナイロン系樹脂に代えて導電性エステル系樹脂や導電性レーヨン系樹脂、導電性アクリル系樹脂、導電性ポリプロピレン系樹脂などを用いた合成繊維を用いても良い。いずれの材料を用いても本発明の効果を得ることができる。
【００７８】
（５）  上記実施の形態においては特に言及しなかったが、中間転写ベルト上に残留するトナーの個々の粒径と帯電量の分布はイースパートアナライザ（ホソカワミクロン株式会社製）を用いて計測することができる。
【００７９】
帯電ブラシによって帯電極性を揃えた後に残留トナーに含まれる逆帯電トナー量が１２％以下ならば、クリーニングブラシによってトナーの回収漏れが発生しても、中間転写ベルトの下流に配されたフィルミング除去部材にて残留トナーを除去して、画像不良の発生を防ぐことができる。
【産業上の利用可能性】
【００８０】
本発明に係るクリーニング装置及び画像形成装置は、中間転写体を清掃する際にトナー等の残留物をむらなく帯電させる技術として有用である。
【図面の簡単な説明】
【００８１】
【図１】本発明の第１の実施の形態に係る画像形成装置の主要な構成を示す図である。
【図２】クリーニング装置１００の主要な構成を示す図である。
【図３】帯電ブラシ２０１の静電植毛法による製造工程を例示する図である。
【図４】帯電ブラシ２０１の外観を示す図であって、（ａ）は外観斜視図であり、（ｂ）は側面図である。
【図５】本発明の第２の実施の形態に係るクリーニング装置の主要な構成を示す図である。
【図６】帯電ブラシ５０１の静電植毛法による製造工程を例示する図である。
【図７】帯電ブラシ５０１の外観を示す図であって、（ａ）は側面図であり、（ｂ）は外観斜視図である。
【図８】本発明の変形例（１）に係るクリーニング装置の主要な構成を示す図である。
【図９】本発明の変形例（１）に係るクリーニング装置の主要な構成を示す図である。
【図１０】本発明の変形例（１）に係るクリーニング装置の主要な構成を示す図である。
【図１１】本発明の変形例（１）に係るクリーニング装置の主要な構成を示す図である。
【図１２】本発明の変形例（３）に係る画像形成装置の主要な構成を示す図である。
【図１３】従来技術に係るロールブラシの植毛状態を示す図である。
【図１４】従来技術に係るバーブラシの植毛状態を示す図である。
【符号の説明】
【００８２】
１、１２……………………………………………画像形成装置
５、８、９、１０、１１、１００、１２００…クリーニング装置
１０１………………………………………………レーザユニット
１０２、５２０、８２０、９２０、１０２０…中間転写ベルト
１０３、１０４、５２１、８２１、９２１……張架ローラ
１０５、１２０７…………………………………給紙カセット
１０６、１２０８…………………………………二次転写ローラ
１０７、１２０９…………………………………定着装置
１１０Ｃ〜１１０Ｋ………………………………画像形成ユニット
１１１、１２０１…………………………………感光体ドラム
１１２、１２０２…………………………………帯電装置
１１３、１２０４Ｃ〜１２０４Ｋ………………現像装置
１１４………………………………………………転写ローラ
１１５、１２０６…………………………………感光体ドラムクリーニング装置
２０１、５０１、８０１、９０１、１００１…帯電ブラシ
２０２、５０２、８０２、９０２、１００２…クリーニングブラシ
２０３、５０３、８０３、９０３、１００３…回収ローラ
２０４、５０４、８０４、９０４、１００４…スクレーパ
２０５、５０５、８０５、９０５、１００５…廃トナーボックス
２０６、２０７、５０６、５０７、３０６……定電圧源
２１０、５１０、８１０、９１０………………残留トナー
３０１………………………………………………芯金軸
３０２………………………………………………導電性部材
３０３、６０１……………………………………塗布ローラ
３０４、７０１……………………………………導電性接着剤層
３０５、６０５……………………………………植毛層
３０７、６０２、６０３…………………………金属板
６０４、８０６、９０６、１００６……………定電圧源
１０１０、１１１０………………………………残留トナー
１０２１、１１２１………………………………張架ローラ
１１０１……………………………………………帯電ブラシ
１１０２……………………………………………クリーニングブラシ
１１０３……………………………………………回収ローラ
１１０４……………………………………………スクレーパ
１１０５……………………………………………廃トナーボックス
１１０６……………………………………………定電圧源
１１２０、１２０５………………………………中間転写ベルト
１２０３……………………………………………露光装置
１３０１……………………………………………巻き目部分
１４０１……………………………………………束目部分
１４０２……………………………………………束目以外の部分
【図１】
2009204688.tif 000003
【図２】
2009204688.tif 000004
【図３】
2009204688.tif 000005
【図４】
2009204688.tif 000006
【図５】
2009204688.tif 000007
【図６】
2009204688.tif 000008
【図７】
2009204688.tif 000009
【図８】
2009204688.tif 000010
【図９】
2009204688.tif 000011
【図１０】
2009204688.tif 000012
【図１１】
2009204688.tif 000013
【図１２】
2009204688.tif 000014
【図１３】
2009204688.tif 000015
【図１４】
2009204688.tif 000016